(57)【要約】【課題】  電子ズーム機能が有効となっている場合のスルー画の表示開始時において、スルー画に対して適切な露出制御を行うことができる撮像装置を提供することである。【解決手段】  撮像画角内の被写体光を撮像する撮像素子４２と、前記撮像素子から出力される撮像信号に基づいてスルー画を表示する表示部１４と、前記撮像画角内を複数の測光領域に分割し、該領域毎の前記被写体の輝度を測定する測光部２８と、前記スルー画の表示開始時に前記表示部に表示されるべき、前記撮像画角内での任意の表示領域を設定する表示領域設定部２０、前記スルー画の表示開始時に設定されるべき所望の表示倍率を設定する表示倍率設定部１８と、前記任意の表示領域、前記所望の表示倍率及び前記測光部により測定された輝度値に基づいて前記スルー画の表示開始時に前記表示部に表示されるべき前記スルー画の露出制御値を決定する制御値決定部３０とを備える【選択図】  図２
2010057042.tif 000002
【特許請求の範囲】
【請求項１】
撮像画角内の被写体光を撮像する撮像素子と、
前記撮像素子から出力される撮像信号に基づいてスルー画を表示する表示部と、
前記撮像画角内を複数の測光領域に分割し、該領域毎の前記被写体の輝度を測定する測光部と、
前記スルー画の表示開始時に前記表示部に表示されるべき、前記撮像画角内での任意の表示領域を設定する表示領域設定部と、
前記スルー画の表示開始時に設定されるべき所望の表示倍率を設定する表示倍率設定部と、
前記任意の表示領域、前記所望の表示倍率及び前記測光部により測定された輝度値に基づいて前記スルー画の表示開始時に前記表示部に表示されるべき前記スルー画の露出制御値を決定する制御値決定部と
を備えることを特徴とする撮像装置。
【請求項２】
前記制御値決定部は、前記任意の表示領域及び前記所望の表示倍率に基づき前記複数の測光領域の中から選択された特定の測光領域における前記輝度値を用いて、前記露出制御値を決定することを特徴とする請求項１記載の撮像装置。
【請求項３】
前記制御値決定部は、前記任意の表示領域内の所定位置における一定数の前記測光領域において測定された前記輝度値と全ての前記測光領域において測定された前記輝度値とを前記表示倍率に応じて混合し前記露出制御値を決定することを特徴とする請求項１記載の撮像装置。
【請求項４】
前記露出制御値を決定するために用いる前記測光領域を示すパラメタテーブルを備えることを特徴とする請求項１または２記載の撮像装置。
【発明の詳細な説明】
【技術分野】
【０００１】
本発明は、スルー画の表示を行うスルー画モードを備えた撮像装置に関するものである。
【背景技術】
【０００２】
クイックリターンミラーをダウン位置に位置させた状態で、光学ファインダにより被写体像を観察する光学ファインダモードと、クイックリターンミラーをアップ位置に位置させて被写体光を撮像素子で撮像し、その撮像画像を液晶モニタ等の表示装置に表示させた、いわゆるスルー画を観察する電子画像ファインダ（ＥＶＦ）モードとを切り換え可能な撮像装置が知られている（例えば、特許文献１参照）。この公知文献の撮像装置においては、スルー画表示中にレリーズ動作が行われた場合にミラーダウンを行わないまま静止画の撮像を行い、その後のミラーダウン時に輝度データを取得し、この輝度データを用いて撮像信号の補正を行うことにより、ミラーダウンによるタイムラグの発生を防止している。
【特許文献１】特開２００７−３１２０６３号公報
【発明の開示】
【発明が解決しようとする課題】
【０００３】
しかし、この撮像装置においては、電子ズーム機能（スルー画の一部を電気的に拡大表示する機能）が有効になっている状態のままでスルー画の表示を開始する時に、その拡大表示されるべき部分的なスルー画に対して適切な露出制御を行えないことがあり、その場合に拡大表示されたスルー画が適切な明るさで表示されなかった。
【０００４】
本発明の目的は、電子ズーム機能が有効となっている場合でも、スルー画の表示開始時においてスルー画に対して適切な露出制御を行うことができる撮像装置を提供することである。
【課題を解決するための手段】
【０００５】
以下に本発明の構成を実施の形態の符号を付して説明するが、本発明は、この実施の形態に限定されるものではない。
【０００６】
本発明の撮像装置（２）は、撮像画角内の被写体光を撮像する撮像素子（４２）と、前記撮像素子から出力される撮像信号に基づいてスルー画を表示する表示部（１４）と、前記撮像画角内を複数の測光領域に分割し、該領域毎の前記被写体の輝度を測定する測光部（２８）と、前記スルー画の表示開始時に前記表示部に表示されるべき、前記撮像画角内での任意の表示領域を設定する表示領域設定部（２０）と、前記スルー画の表示開始時に設定されるべき所望の表示倍率を設定する表示倍率設定部（１８）と、前記任意の表示領域、前記所望の表示倍率及び前記測光部により測定された輝度値に基づいて前記スルー画の表示開始時に前記表示部に表示されるべき前記スルー画の露出制御値を決定する制御値決定部（３０）とを備えることを特徴とする。
【発明の効果】
【０００７】
本発明の撮像装置によれば、電子ズーム機能が有効となっている場合のスルー画表示開始時においても、その拡大表示されたスルー画に対して適切な露出制御を行うことができる。
【発明を実施するための最良の形態】
【０００８】
以下、図面を参照して本発明の第１の実施の形態に係るカメラについて説明する。図１は、本実施の形態に係るカメラの背面の構成を示す図である。カメラ２は、カメラ本体４とその前面に設けられた撮影レンズ６（図２参照）とを備えている。ここで、撮影レンズ６は、カメラ本体４に固定されているものでもよいし、交換式の撮影レンズでもよい。カメラ本体４の上部には、電源のオン・オフを行う図示しない電源スイッチ、半押しにより合焦指示を行い、全押しによりレリーズ動作を指示するレリーズスイッチ１０が設けられている。カメラ本体４の背面には、ファインダ光学系を介して被写体のファインダ像を観察するファインダ接眼窓１２、スルー画の表示等を行うＬＣＤ表示部１４、ファインダ接眼窓１２により被写体像を観察する光学ファインダモードと、被写体光の撮像を行い、その撮像された画像をＬＣＤ表示部１４にスルー画として表示させ、そのスルー画を観察するスルー画ファインダ（観察）モードとを切り換える切換ボタン１６、撮影条件の設定、ＬＣＤ表示部１４に表示されたスルー画の電子ズーム（拡大）倍率を設定するためのズーム倍率設定ボタン１８、撮影条件の設定、ＬＣＤ表示部１４に表示されたスルー画内の、電子ズームされるべきエリアの中心位置の選択等を行うマルチセレクタ２０が設けられている。
【０００９】
図２は本実施の形態に係るカメラのシステム構成を示すブロック図である。カメラ２にはＣＰＵ２２が設けられており、ＣＰＵ２２には、レリーズスイッチ１０、切換ボタン１６、ズーム倍率設定ボタン１８、マルチセレクタ２０、ＬＣＤ表示部１４の表示を制御する表示制御部２６、ファインダ光学系を構成する図示しないペンタプリズムの近傍に備えられ、複数の領域に分割された撮像画角内の各領域の被写体輝度を測定するＳＰＤ（Ｓｉｌｉｃｏｎ  Ｐｈｏｔｏ  Ｄｉｏｄｅ）、ＣＣＤ（Ｃｈａｒｇｅ  Ｃｏｕｐｌｅｄ  Ｄｅｖｉｃｅｓ）等により構成される測光センサ２８、測光センサ２８により測定された輝度値に基づいて露出制御値を算出する制御値決定部３０、制御値決定部３０により算出された制御値を用いて撮影部３１を制御する撮影制御部３２、後述する画像処理部３４が接続されている。ここで、撮影部３１は、複数枚のレンズで構成され焦点調節可能な撮影レンズ６、開口量を調節するための絞り３６、ミラーアップ及びミラーダウンの状態に位置させることが可能なミラー３８、撮影レンズ６を介した被写体光を撮像して撮像信号（蓄積電荷としてのアナログ信号）を生成するＣＣＤ或いはＣＭＯＳ等により構成される撮像素子４２、ミラー３８と撮像素子４２との間に配置されたシャッタ４０を備えている。ここで、ミラー３８はミラーアップの状態においては被写体光の光路から退避し被写体光を撮像素子４２へ導き、ミラーダウンの状態において被写体光の光路内に位置し、被写体光をファインダ光学系及び測光センサ２８へ導く。シャッタ４０は、被写体光を撮像素子４２に入射させないときには閉状態となり、被写体光を撮像素子４２に入射させるときには開状態となる。
【００１０】
また、撮像素子４２には撮像素子４２から出力された撮像信号を図示しないＡ／Ｄ変換部においてＡ／Ｄ変換することにより生成された画像データを一時的に記憶する画像信号バッファメモリ４４が接続され、画像信号バッファメモリ４４には撮像素子４２から出力される撮像信号に基づく画像データに、ホワイトバランス調整、輪郭補償、ガンマ補正等の画像処理を行う画像処理部３４が接続されている。
【００１１】
画像処理部３４には、画像処理部３４により生成された画像データが転送される画像記録部４６が接続され、画像記録部４６に転送された画像データはメモリカード４８に記憶される。また、画像処理部３４には、ＬＣＤ表示部１４にスルー画を表示する場合にスルー画データを一時的に記憶するスルー画バッファメモリ５０が接続されている。表示制御部２６は、スルー画バッファメモリ５０に記憶されたスルー画データからズーム倍率設定ボタン１８により設定されたズーム倍率及びマルチセレクタ２０により設定された表示位置に応じて、ＬＣＤ表示部１４に表示される領域を切り出し画像表示バッファメモリ５２に記憶させ、ＬＣＤ表示部１４において表示させる。
【００１２】
次に、図面を参照して本実施の形態に係るカメラの処理について説明する。図３は、本実施の形態に係るカメラの撮像処理を示すフローチャートである。電源ボタンが操作され電源が投入されると、撮影制御部３２の制御によりミラー３８をミラーダウンの状態にセットし、また、絞り３６、シャッタ４０等を初期位置にセットし各機能の初期化を行う（ステップＳ１）。なお、この状態においてはカメラ２は、光学ファインダモードとして起動する。次に、マルチセレクタ２０の操作を読み取り撮影条件等の設定を行う（ステップＳ２）。また、測光センサ２８により被写体の輝度値を測定し（ステップＳ３）、測定された輝度値を用いて露出制御値を算出する（ステップＳ４）。ここで、ステップＳ３において測定された輝度値、ステップＳ４において算出された露出制御値を制御値決定部３０に一時的に記憶する。次にレリーズフラグがセットされているか否かのチェックを行う（ステップＳ５）。レリーズスイッチ１０の全押しによりレリーズフラグがセットされている場合には、後述する露光制御動作を行い（ステップＳ６）、画像処理部３４により撮像素子４２から出力された撮像信号に基づく画像データに対する画像処理を行う（ステップＳ７）。そして画像処理部３４により画像処理された画像データを画像記録部４６に転送しメモリカード４８に記憶する（ステップＳ８）。その後レリーズフラグをクリアする（ステップＳ９）。そしてカメラ２のレリーズスイッチ１０、マルチセレクタ２０等の操作が最後に行われてからの経過時間が所定時間以上であるか否かの判定を行う（ステップＳ１０）。
【００１３】
ステップＳ５においてレリーズフラグがセットされていない場合には、ステップＳ１０において所定時間が経過しているか否かの判定を行う。所定時間が経過していない場合にはステップＳ２に戻り、ステップＳ２〜ステップＳ１０の処理を継続する。一方、所定時間が経過している場合には、後述するスルー画消灯処理を行い（ステップＳ１１）、カメラ２の電源をオフにする遮断処理を行う（ステップＳ１２）。この遮断処理は、マルチセレクタ２０等により所定の操作が行われた場合にカメラ２が直ちに起動するスタンバイモードとする処理であってもよい。
【００１４】
次に、図４に示すフローチャートを参照して本実施の形態に係るカメラの露出制御動作について説明する。図３のステップＳ６における露出制御動作が開始されると撮影制御部３２は、図３のステップＳ４で算出された露出制御値に基づき絞り３６を駆動すると共にミラー３８を被写体光の光路から退避させミラーアップの状態とする（ステップＳ２１）。そして、シャッタ４０を開状態とし（ステップＳ２２）、撮像素子４２による電荷蓄積を開始する（ステップＳ２３）。そしてステップＳ４により算出された露出制御値に基づく露光時間またはマルチセレクタ２０により入力された露光時間を経過したか否か判定する（ステップＳ２４）。露光時間を経過していない場合には、露光時間を経過するまでステップＳ２４において露光時間が経過したか否かの判定を継続する。
【００１５】
露光時間が経過するとシャッタ４０を閉じ（ステップＳ２５）、撮像素子４２による電荷の蓄積を終了し撮像信号の取り込みを行う（ステップＳ２６）。そして、撮影制御部３２はミラー３８をミラーダウンの状態へ移動させ、シャッタ４０、絞り３６を初期位置にセットする（ステップＳ２７）。
【００１６】
次に、図５に示すフローチャートを参照して、レリーズスイッチ１０が全押し操作されレリーズ割り込み指示が行われた場合の処理について説明する。レリーズスイッチ１０の全押し操作によりレリーズ割り込み指示が行われると、後述するスルー画消灯処理を行い（ステップＳ２９）、レリーズフラグをセットする（ステップＳ３０）。
【００１７】
図６はスルー画の表示開始指示が行われた場合の処理を示すフローチャートである。本実施の形態においては、光学ファインダモードでの動作中に切換ボタン１６の操作が行われることにより、スルー画ファインダモードへの切り換えが行われ、スルー画の表示開始指示が行われる。なお、スルー画表示中にレリーズスイッチ１０の半押し操作により合焦処理が開始され、ミラー３８が一旦ダウンし合焦が終了した後にミラー３８がアップしスルー画表示が再開される場合にも図６に示すスルー画表示開始時の処理が行われる。また、スルー画表示中にレリーズスイッチ１０の全押し操作によりレリーズ指示が行われると、ミラー３８が一旦ダウンし合焦が終了した後にミラー３８がアップして、図３に示すフローチャートのステップＳ６〜ステップＳ９における処理を経た後にスルー画の表示が再開される場合にも図６に示すスルー画の表示開始時の処理が行われる。
【００１８】
ここで、スルー画表示中にマルチセレクタ２０によりズーム位置（画像内において拡大表示されるべきエリアの中心位置）が設定され、また、ズーム倍率設定ボタン１８によりズーム倍率が設定されると、指定されたズーム位置及び指定されたズーム倍率に基づいてスルー画バッファメモリ５０に記憶されている画像データが切り出されスルー画が拡大表示される。また、スルー画表示中にズーム位置及びズーム倍率が更新されると、ズーム位置及びズーム倍率が逐次一時的に記憶され、上述のレリーズスイッチ１０の半押し又は全押し操作後におけるスルー画の表示開始時の露出制御値の算出に用いられる。また、ズーム倍率、ズーム位置が記憶されていない場合にはズーム倍率が１としてスルー画の表示開始時の露出制御を行う。
【００１９】
スルー画の表示開始指示が行われると、後述するスルー画の表示開始時の制御値を算出する（ステップＳ３１）。次に算出された制御値を用いてスルー画用の絞り値、撮像素子４２の感度及び電荷を蓄積する時間である取り込み時間を算出する（ステップＳ３２）。次に撮影制御部３２はミラー３８をミラーアップ状態へ駆動し、ステップＳ３２において算出されたスルー画用の絞り値に基づいて絞り３６を駆動し（ステップＳ３３）、シャッタ４０を開く（ステップＳ３４）。そして、撮像素子４２において電荷の蓄積を開始し、ステップＳ３２において算出された電荷の取り込み時間を計測するためのタイマをスタートする（ステップＳ３５）。
【００２０】
図７は、図６に示すフローチャートのステップＳ３５でスタートしたタイマがステップＳ３２において算出された取り込み時間を経過した場合の処理を示すフローチャートである。取り込み時間が経過するとタイマを停止し撮像素子４２における電荷の蓄積を終了する（ステップＳ４１）。また、このとき、撮像素子４２から撮像信号を取り込み、画像信号バッファメモリ４４に記憶する。そして、画像処理部３４により撮像信号に基づく画像データに対する画像処理を行い、スルー画バッファメモリ５０に一時的に記憶する（ステップＳ４２）。次に、後述する表示データを生成する処理を行い（ステップＳ４３）、ＬＣＤ表示部１４におけるスルー画の表示を更新する（ステップＳ４４）。そして、後述するスルー画表示中における露出制御値の算出処理を行い（ステップＳ４５）、算出された制御値を用いてスルー画用の絞り値、撮像素子４２の感度及び電荷を蓄積する時間である取り込み時間を算出する（ステップＳ４６）。次にステップＳ４６において算出されたスルー画用の絞り値に基づいて撮影制御部３２により絞り３６を駆動し（ステップＳ４７）、撮像素子４２において電荷の蓄積を開始し、ステップＳ４６において算出された電荷の取り込み時間を計測するためのタイマをスタートする（ステップＳ４８）。
【００２１】
図８は、図７のステップＳ４５におけるスルー画の表示中に露出制御値を算出する処理を示すフローチャートである。スルー画の表示中に制御値を算出する場合には、撮像画角内でのズーム位置及びズーム倍率に応じてＬＣＤ表示部１４に表示される領域の輝度値を撮像素子４２において取得し、露出制御値を算出する（ステップＳ５０）。
【００２２】
図９は、図７のステップＳ４３における表示データを生成する処理を示すフローチャートである。表示データを生成する場合にはまず、マルチセレクタ２０により設定されたズーム位置からズーム表示の際の中心座標を取得し（ステップＳ５１）、また、ズーム倍率設定ボタン１８により設定されたズーム倍率に応じた切り出し範囲を取得する（ステップＳ５２）。そして、ステップＳ５１、Ｓ５２において取得したズーム表示の中心座標及び切り出し範囲に応じてスルー画バッファメモリ５０に記憶されている画像データを切り出し、スルー画表示用の画像データを生成する（ステップＳ５３）。
【００２３】
図１０は、スルー画の消灯処理を示すフローチャートである。スルー画消灯の指示が行われると、スルー画の表示中であるか否かの判定を行う（ステップＳ５６）。スルー画を表示していない場合には処理を終了する。スルー画の表示中である場合には、撮像素子４２における電荷の蓄積を終了し、取り込み時間を計測するタイマを停止する（ステップＳ５７）。そして、シャッタ４０を閉じ（ステップＳ５８）、ミラー３８をミラーダウンの状態へと移動し、絞り３６、シャッタ４０を初期位置にセットし（ステップＳ５９）、ＬＣＤ表示部１４の表示を消灯する（ステップＳ６０）。
【００２４】
次に図１１〜図１４を参照して第１の実施の形態に係るカメラのスルー画の表示開始時の制御値の算出処理について説明する。本実施の形態においては測光センサ２８はＳＰＤで構成され、図１１に示すように測光領域が３５分割されている。なお、図１１は測光センサ２８の測光領域と撮像素子４２によって撮像可能な範囲である撮像画角との位置関係を示す図である。ここで、測光領域に付された符号である１〜３５はズーム位置Ｚｐを示している。また、図１１における最外枠は撮像画角を示し、最外枠に示す座標（０，０）及び（３５９９，２４９９）は撮像素子４２の画素を示す座標である。また、測光センサ２８はズーム位置Ｚｐ毎に輝度値を測定し、測定された輝度値は制御値決定部３０に一時的に記憶される。
【００２５】
図１２は、第１の実施の形態に係るカメラのスルー画開始時の露出制御値の算出処理を示すフローチャートである。このフローチャートに従って、ズーム位置Ｚｐ及びズーム倍率Ｚｍに応じて選択された測光領域において測定された輝度値を用いて露出制御値を決定する処理を行う。スルー画の表示を開始する場合にはズーム倍率設定ボタン１８により設定されたズーム倍率Ｚｍを確認する（ステップＳ６１）。ズーム倍率Ｚｍが１倍である場合にはＢｖｚ［ｉ］（ｉ＝１〜３５）がズーム位置ｉにおける輝度値を示すＢｖ値であるとして、スルー画の開始時における露出制御に用いるＢｖ値であるＢｖｔｈを次式により算出する（ステップＳ６２）。即ち、全測光領域で測定された輝度値の平均値をスルー画の表示開始時における露出制御用Ｂｖ値として用いる。
【数１】
2010057042.tif 000003
ズーム倍率が２倍の場合には次式によりスルー画の表示開始時における露出制御に用いるＢｖ値であるＢｖｔｈを算出する（ステップＳ６３）。
【数２】
2010057042.tif 000004
ここで、Ｚｐはマルチセレクタ２０により設定されたズーム位置を示し、Ｚｔｂｌ２［Ｚｐ］［ｉ］は、図１３に示すズーム倍率Ｚｍが２倍のときの加算パラメタテーブルにおける値を示し、Ｂｖｚはズーム位置Ｚｐにおける輝度値であるスポットＢｖ値を示す。なお、図１３の加算パラメタテーブルにおいて「３６」は演算用の空データを示し、「０」として加算される。
【００２６】
例えば、マルチセレクタ２０により設定されたズーム位置Ｚｐが１である場合に、Ｚｔｂｌ２［１］［１］〜Ｚｔｂｌ［１］［７］の値は「３６」であり、「０」を加算する。次に、Ｚｔｂｌ２［１］［８］の値は「１」であり、測光領域１における制御値決定部３０に一時的に記憶されている輝度値を読み出し加算する。同様にしてＺｔｂｌ２［１］［９］の値は「２」であり、測光領域２における輝度値を加算し、Ｚｔｂｌ２［１］［１０］の値は「３」であり、測光領域３における輝度値を加算する。Ｚｔｂｌ２［１］［１１］及びＺｔｂｌ２［１］［１２］の値は「３６」であり、「０」を加算し、Ｚｔｂｌ２［１］［１３］の値は「８」、Ｚｔｂｌ［１］［１４］の値は「９」、Ｚｔｂｌ［１］［１５］の値は「１０」であるので、それぞれ測光領域８，９，１０における輝度値を加算する。そして、Ｚｔｂｌ２［Ｚｐ］［１６］は加算した測光領域のうち、空データを除く測光領域の数を示し、Ｚｔｂｌ２［１］［１］〜Ｚｔｂｌ２［１］［１５］を加算した値をＺｔｂｌ２［１］［１６］の値である「６」で割り、スルー画の表示開始時における露出制御用のＢｖ値とする。
【００２７】
ズーム倍率が５倍の場合には、次式によりスルー画の表示開始時の露出制御用Ｂｖ値であるＢｖｔｈを算出する（ステップＳ６４）。
【数３】
2010057042.tif 000005
ここで、Ｚｐはマルチセレクタ２０により設定されたズーム位置を示し、Ｚｔｂｌ５［Ｚｐ］［ｉ］は図１４のズーム倍率Ｚｍが５倍のときの加算パラメタテーブルにおける値を示し、Ｂｖｚはズーム位置Ｚｐにおける輝度値であるスポットＢｖ値を示す。なお、図１４に示す加算パラメタテーブルにおいて「３６」は演算用の空データを示し、「０」として加算される。
【００２８】
例えば、ズーム位置が１である場合にＺｔｂｌ５［１］［１］の値は「３６」であり、「０」を加算する。次にＺｔｂｌ５［１］［２］の値は「１」であり、制御値決定部３０に記憶されている測光領域１における輝度値を加算し、Ｚｔｂｌ５［１］［３］の値は「２」であり、測光領域２における輝度値を加算する。そして、Ｚｔｂｌ５［Ｚｐ］［４］は加算した測光領域のうち、空データを除く測光量域の数を示し、Ｚｔｂｌ５［１］［１］〜Ｚｔｂｌ５［１］［３］を加算した値をＺｔｂｌ５［１］［４］の値である「２」で割り、スルー画の表示開始時の露出制御に用いるＢｖ値とする。
【００２９】
ズーム倍率が１０倍の場合には、次式によりスルー画の表示開始時における露出制御に用いるＢｖ値であるＢｖｔｈを算出する（ステップＳ６５）。
【００３０】
Ｂｖｔｈ＝Ｂｖｚ［Ｚｐ］
即ち、ズーム位置Ｚｐに対応する測光領域において測定された輝度値をスルー画の表示開始時における露出制御用Ｂｖ値として用いる。
【００３１】
本実施の形態に係るカメラによれば、ズーム機能が有効となっている場合でもスルー画表示開始時においてスルー画に対して適切な露出制御を行うことができる。
【００３２】
また、本実施の形態に係るカメラによれば、加算パラメタテーブルを有するためＣＰＵの演算能力が優れないものであってもスルー画表示開始時の露出制御値の算出処理をスムーズに行うことができる。
【００３３】
次に、図面を参照して本発明の第２の実施の形態に係るカメラについて説明する。なお、第１の実施の形態に係る測光センサ２８はＳＰＤで構成されていたが、この第２の実施の形態に係るカメラにおいては、ＣＣＤで構成された測光センサ２８に変更したものである。従って、第１の実施の形態と同一の構成についての詳細な説明は省略し、異なる部分のみについて詳細に説明する。また、第１の実施の形態と同一の構成には同一の符号を付して説明する。
【００３４】
図１５は、第２の実施の形態に係るカメラの測光センサ２８の測光領域と撮像素子４２によって撮像可能な範囲である撮像画角との位置関係を示す図である。外側の枠は撮像画角を示し、内側の３５×２５の点線で示す領域は測光センサ２８の測光領域を示し、各測光領域毎に輝度値が測定される。ここで、測定された輝度値は制御値決定部３０に一時的に記憶される。また、図１５における左上の画素を（０，０）として、横方向をＸ方向、縦方向をＹ方向とするＸ，Ｙ座標を用いてＣＣＤで構成された測光センサ２８中における位置を示す。ここで、点線で示した５×５の画素毎に実線で囲んだ領域に付した符号１〜３５は、ズーム位置Ｚｐを示している。また、ＸａはＸ方向において輝度を取得する画素加算範囲、ＹａはＹ方向において輝度を取得する画素加算範囲を示す。また、図１５における最外枠に示す座標（０，０）及び（３５９９，２４９９）は撮像素子４２の画素を示す座標である。
【００３５】
図１６は第２の実施の形態に係るカメラのスルー画表示開始時における露出制御値の算出処理を示すフローチャートである。このフローチャートに従って、ズーム位置及びズーム倍率に応じて選択された測光領域において測定された輝度値を用いて露出制御値を決定する処理を行う。スルー画の表示を開始する場合にはズーム倍率設定ボタン１８により設定されたズーム倍率を確認する（ステップＳ７１）。
【００３６】
ズーム倍率Ｚｍが１のときには、Ｘａ＝Ｘａ１＝３５、Ｙａ＝Ｙａ１＝２５の画素加算範囲を取得する（ステップＳ７２）。即ち、測光センサ２８の全ての画素が輝度を取得する画素加算範囲となる。ズーム倍率Ｚｍが２のときには、Ｘａ＝Ｘａ２＝２３、Ｙａ＝Ｙａ２＝１５の画素加算範囲を取得する（ステップＳ７３）。また、ズーム倍率Ｚｍが５のときにはＸａ＝Ｘａ５＝９、Ｙａ＝Ｙａ５＝５の画素加算範囲を取得し（ステップＳ７４）、ズーム倍率Ｚｍが１０のときにはＸａ＝Ｘａ１０＝５、Ｙａ＝Ｙａ１０＝３の画素加算範囲を取得する（ステップＳ７５）。
【００３７】
次に、図１７に示すテーブルを参照してマルチセレクタ２０により設定されたズーム位置Ｚｐから測光センサ２８の画素加算中心座標（Ｘｃ，Ｙｃ）を、Ｘｃ＝Ｘｃｔｂｌ［Ｚｐ］，Ｙｃ＝Ｙｃｔｂｌ［Ｚｐ］により取得する（ステップＳ７６）。例えば、ズーム位置Ｚｐが１のときにはＸｃ＝Ｘｃｔｂｌ［１］＝２、Ｙｃ＝Ｙｃｔｂｌ［１］＝２であり、（Ｘｃ，Ｙｃ）＝（２，２）となる。そして、加算輝度合計値Ｙｓｕｍと加算画素数Ｙｎを初期化し、Ｙｓｕｍ＝０、Ｙｎ＝０とする（ステップＳ７７）。そして次式によりズーム領域に応じた加算輝度合計値Ｙｓｕｍ及び加算画素数Ｙｎを算出する（ステップＳ７８）。
【数４】
2010057042.tif 000006
そして、算出されたＹｓｕｍ、Ｙｎを用いて次式によりスルー画制御用Ｂｖ値であるＢｖｔｈを算出する（ステップＳ７９）。
【数５】
2010057042.tif 000007
【００３８】
次に、図面を参照して本発明の第３の実施の形態に係るカメラについて説明する。なお、この第３の実施の形態に係るカメラは、第１の実施の形態に係るカメラにおけるスルー画表示開始時の露出制御値の算出処理を変更したものである。従って、第１の実施の形態と同一の構成についての詳細な説明は省略し、異なる部分のみについて詳細に説明する。また、第１の実施の形態と同一の構成には同一の符号を付して説明する。
【００３９】
図１８は、第３の実施の形態に係るカメラのスルー画表示開始時の露出制御値の算出処理を示すフローチャートである。このフローチャートに従って、ズーム位置Ｚｐにおける一定数の測光領域において測定された輝度値と全ての測光領域において測定された輝度値とを表示倍率Ｚｍに応じて混合し露出制御値を決定する処理を行う。まず、次式により全ての測光領域において測定された輝度値の平均値Ｂｖｍを算出し、またズーム位置Ｚｐにおいて測定された輝度値Ｂｖｚ［Ｚｐ］を制御値決定部３０から読み出す（ステップＳ８１）。
【数６】
2010057042.tif 000008
【００４０】
次に、ズーム倍率設定ボタン１８により設定されたズーム倍率Ｚｍを確認し（ステップＳ８２）、制御値決定部３０においてＢｖｚ［Ｚｐ］とＢｖｍとの混合比率である重み係数Ｗｍをズーム倍率Ｚｍに応じて取得する。ズーム倍率Ｚｍが１の場合にはＷｍ＝Ｗ１を取得し（ステップＳ８３）、ズーム倍率Ｚｍが２の場合にはＷｍ＝Ｗ２を取得し（ステップＳ８４）、ズーム倍率Ｚｍが５の場合にはＷｍ＝Ｗ５を取得し（ステップＳ８５）、ズーム倍率Ｚｍが１０の場合にはＷｍ＝Ｗ１０を取得する（ステップＳ８６）。そして、次式によりスルー画制御用Ｂｖ値を算出する（ステップＳ８７）。
【００４１】
Ｂｖｔｈ＝Ｂｖｚ［Ｚｐ］×Ｗｍ＋Ｂｖｍ×（１−Ｗｍ）
ただし、本実施の形態においてはＷ１＝０、Ｗ２＝０．２、Ｗ５＝０．５、Ｗ１０＝１．０を用いて算出する。
【００４２】
次に図面を参照して本発明の第４の実施の形態に係るカメラについて説明する。なお、第４の実施の形態に係る測光センサ２８はＳＰＤで構成されていたが、この第３の実施の形態に係るカメラにおいては、ＣＣＤで構成された測光センサ２８に変更したものである。従って、第３の実施の形態と同一の構成についての詳細な説明は省略し、異なる部分のみについて詳細に説明する。また、第１の実施の形態と同一の構成には同一の符号を付して説明する。
【００４３】
図１９は、第４の実施の形態に係るカメラのスルー画表示開始時の露出制御値の算出処理を示すフローチャートである。このフローチャートに従って、ズーム位置Ｚｐを含む所定位置における一定数の測光領域において測定された輝度値と全ての測光領域において測定された輝度値とを表示倍率Ｚｍに応じて混合し露出制御値を決定する処理を行う。まず、加算輝度合計値Ｙｓｕｍを初期化し、Ｙｓｕｍ＝０とし（ステップＳ９１）、画面全体の加算輝度合計値Ｙｓｕｍを次式により算出する（ステップＳ９２）。
【数７】
2010057042.tif 000009
算出されたＹｓｕｍから平均輝度値であるＢｖｍを次式により算出する（ステップＳ９３）。
【数８】
2010057042.tif 000010
【００４４】
次に、図１７に示すテーブルを参照してマルチセレクタ２０により設定されたズーム位置Ｚｐから測光センサ２８の画素加算中心座標（Ｘｃ，Ｙｃ）、をＸｃ＝Ｘｃｔｂｌ［Ｚｐ］，Ｙｃ＝Ｙｃｔｂｌ［Ｚｐ］により取得する（ステップＳ９４）。例えば、ズーム位置Ｚｐが１のときにはＸｃ＝Ｘｃｔｂｌ［１］＝２、Ｙｃ＝Ｙｃｔｂｌ［１］＝２であり、（Ｘｃ，Ｙｃ）＝（２，２）となる。そして、加算輝度合計値Ｙｓｕｍを初期化し、Ｙｓｕｍ＝０とする（ステップＳ９５）。そして次式によりズーム位置Ｚｐにおける輝度を取得し、加算輝度合計値Ｙｓｕｍを算出する（ステップＳ９６）。本実施の形態においては、画素加算中心座標（Ｘｃ，Ｙｃ）を中心とする５×５の画素について輝度を取得し、加算輝度合計値Ｙｓｕｍを算出する。
【数９】
2010057042.tif 000011
算出されたＹｓｕｍからズーム位置Ｚｐにおける輝度値であるスポットＢｖ値Ｂｖｚを次式により求める（ステップＳ９７）。
【数１０】
2010057042.tif 000012
次にズーム倍率設定ボタン１８により設定されたズーム倍率Ｚｍを確認する（ステップＳ９８）。そしてステップＳ９９〜Ｓ１０３の処理に従ってスルー画制御用Ｂｖ値を算出する。なお、これらの処理は図１８に示すフローチャートのステップＳ８３〜Ｓ８７とそれぞれ同様の処理であるため説明は省略する。
【００４５】
なお、上述の各実施の形態では説明を簡単にするため１，２，５，１０倍について説明したが、これ以外のズーム倍率Ｚｍについてもそれぞれの倍率に応じて上述の各実施の形態と同様の処理を行う。また、図１３のフローチャートに示す処理では、１，２，５，１０倍以外のズーム倍率Ｚｍについて加算パラメタテーブルを備えることにより、スルー画の表示開始時の露出制御値を算出することができる。また、ズーム倍率に対応する適当な加算パラメタテーブルが存在しない場合には、当該ズーム倍率に近い値のズーム倍率の加算パラメタテーブルを用いるようにしてもよい。
【００４６】
また、上述の各実施の形態においてはズーム倍率設定ボタン１８によりズーム倍率を設定し、マルチセレクタ２０によりズーム位置を設定する構成としたが、ＬＣＤ表示部１４がタッチセンサを積層して備え、タッチセンサによりズーム倍率及びズーム位置を設定できるようにしてもよい。
【図面の簡単な説明】
【００４７】
【図１】本発明の第１の実施の形態に係るカメラの背面を示す外観図である。
【図２】本発明の第１の実施の形態に係るカメラのシステム構成を示すブロック図である。
【図３】本発明の第１の実施の形態に係るカメラの撮像処理を示すフローチャートである。
【図４】本発明の第１の実施の形態に係るカメラの露出制御動作を示すフローチャートである。
【図５】本発明の第１の実施の形態に係るカメラのレリーズ割り込み処理を示すフローチャートである。
【図６】本発明の第１の実施の形態に係るカメラのスルー画の表示開始時の処理を示すフローチャートである。
【図７】本発明の第１の実施の形態に係るカメラのスルー画表示における取り込み時間経過時の処理を示すフローチャートである。
【図８】本発明の第１の実施の形態に係るカメラのスルー画表示中における露出制御値算出処理を示すフローチャートである。
【図９】本発明の第１の実施の形態に係るカメラの表示データを生成する処理を示すフローチャートである。
【図１０】本発明の第１の実施の形態に係るカメラのスルー画の消灯処理を示すフローチャートである。
【図１１】本発明の第１の実施の形態に係るカメラの測光センサと撮像画角の位置関係を示す図である。
【図１２】本発明の第１の実施の形態に係るカメラのスルー画表示開始時における露出制御値算出処理を示すフローチャートである。
【図１３】本発明の第１の実施の形態に係るカメラの加算パラメタテーブルを示す表である。
【図１４】本発明の第１の実施の形態に係るカメラの加算パラメタテーブルを示す表である。
【図１５】本発明の第２の実施の形態に係るカメラの測光センサと撮像画角の位置関係を示す図である。
【図１６】本発明の第２の実施の形態に係るカメラのスルー画表示開始時における露出制御値算出処理を示すフローチャートである。
【図１７】本発明の第２の実施の形態に係るカメラの測光センサの画素加算中心座標とズーム位置の対応を示す表である。
【図１８】本発明の第３の実施の形態に係るカメラのスルー画表示開始時における露出制御値算出処理を示すフローチャートである。
【図１９】本発明の第４の実施の形態に係るカメラのスルー画表示開始時における露出制御値算出処理を示すフローチャートである。
【符号の説明】
【００４８】
２…カメラ、１０…レリーズスイッチ、１４…ＬＣＤ表示部、１６…切換ボタン、１８…ズーム倍率設定ボタン、２０…マルチセレクタ、２２…ＣＰＵ、２６…表示制御部、２８…測光センサ、３０…制御値決定部、３８…ミラー、４２…撮像素子。
【図１】
2010057042.tif 000013
【図２】
2010057042.tif 000014
【図３】
2010057042.tif 000015
【図４】
2010057042.tif 000016
【図５】
2010057042.tif 000017
【図６】
2010057042.tif 000018
【図７】
2010057042.tif 000019
【図８】
2010057042.tif 000020
【図９】
2010057042.tif 000021
【図１０】
2010057042.tif 000022
【図１１】
2010057042.tif 000023
【図１２】
2010057042.tif 000024
【図１３】
2010057042.tif 000025
【図１４】
2010057042.tif 000026
【図１５】
2010057042.tif 000027
【図１６】
2010057042.tif 000028
【図１７】
2010057042.tif 000029
【図１８】
2010057042.tif 000030
【図１９】
2010057042.tif 000031